(57)【要約】【課題】  部品取付孔に挿入して取り付ける盤面部品において、その取付作業を簡易化することができる遊技機用ハーネスガイドを提供する。【解決手段】  遊技機用ハーネスガイド２７は、盤面部品であるチューリップ１８に繋がる基部３１と、該基部３１から延びる支持アーム３２と、該支持アーム３２の先端部に設けられてハーネス２６を係止する係止部３３とを備えており、チューリップ１８を遊技盤１３の部品取付孔２０に取り付けた状態で、該支持アーム３２の中間部が部品取付孔２０の内部に配置され、さらに、該支持アーム３２を所定長さとすることにより、チューリップ１８を遊技盤１３の部品取付孔２０に取り付けた状態で、部品取付孔２０の内部で遊技盤１３の後面側となる開口の直近位置又は遊技盤１３の後面側で部品取付孔２０の外部に該係止部３３が配置されている。【選択図】      図５
2009189585.tif 000002
【特許請求の範囲】
【請求項１】
遊技機の遊技盤に設けられた部品取付孔に対し、該遊技盤の前面側から少なくともその一部を挿入して取り付けられる盤面部品から延びるハーネスをガイドする遊技機用ハーネスガイドであって、
上記盤面部品に繋がる基部と、該基部から延びる支持アームと、該支持アームの先端部に設けられてハーネスを係止する係止部とを備えており、
上記盤面部品を上記遊技盤の上記部品取付孔に取り付けた状態で、該支持アームの中間部が上記部品取付孔の内部に配置され、
さらに、該支持アームを所定長さとすることにより、上記盤面部品を上記遊技盤の上記部品取付孔に取り付けた状態で、上記部品取付孔の内部で上記遊技盤の後面側となる開口の直近位置又は上記遊技盤の後面側で上記部品取付孔の外部に該係止部が配置されている
ことを特徴とする遊技機用ハーネスガイド。
【請求項２】
上記係止部は、Ｃリング状に形成されている請求項１に記載の遊技機用ハーネスガイド。
【請求項３】
上記基部は、ネジ止めによって上記盤面部品に繋がる請求項１又は請求項２に記載の遊技機用ハーネスガイド。
【発明の詳細な説明】
【技術分野】
【０００１】
本発明は、遊技機の盤面部品から延びるハーネスをガイドするための遊技機用ハーネスガイドに関するものである。
【背景技術】
【０００２】
従来、遊技機において、液晶表示板、チューリップ等の盤面部品は、遊技盤に設けられた部品取付孔に対し、遊技盤の表面側からその一部を挿入するようにして取り付けられている。こうした盤面部品の多くは、その裏面からハーネスが延びており、遊技盤の裏面に取り付けられた基板部品に該ハーネスを接続することによって電子制御されるようになっている。このようなハーネスの大半は、盤面部品から基板部品までの距離よりも長くされているため、遊技機の組立時、あるいはメンテナンス時に邪魔になる場合がある。そこで、例えば、特許文献１から特許文献３に示されるように、遊技機の所定個所にハーネスを係止するものが提供されている。
【０００３】
【特許文献１】特開２００７−０８２７０４号公報
【特許文献２】特開２００７−２３６７９８号公報
【特許文献３】特開２００７−０５４３４６号公報
【発明の開示】
【発明が解決しようとする課題】
【０００４】
ところが、上記のように遊技盤の部品取付孔に挿入して取り付ける盤面部品においては、取付前にハーネスを予め部品取付孔に挿通させておく必要があり、この挿通されたハーネスが盤面部品取り付けの邪魔になるという問題がある。加えて、このような盤面部品の場合、部品取付孔に対し、まず遊技盤の表面側からハーネスを挿入し、遊技盤の裏面側でハーネスを適宜引っ張って盤面部品の取り付けの邪魔にならないように配慮し、それから盤面部品を取り付けるというように、該盤面部品の取り付けに手間がかかるという問題もある。しかし、上記従来のような遊技機の所定個所にハーネスを係止するものは、該ハーネスを遊技機の余剰スペースなどに待避させる、ハーネスの弛みを解消する等の機能を有するに留まっており、これらの問題を解決できるものではなかった。
本発明は、このような従来技術に存在する問題点に着目してなされたものである。その目的とするところは、部品取付孔に挿入して取り付ける盤面部品において、その取付作業を簡易化することができる遊技機用ハーネスガイドを提供することにある。
【課題を解決するための手段】
【０００５】
上記の目的を達成するために、請求項１に記載の遊技機用ハーネスガイドの発明は、遊技機の遊技盤に設けられた部品取付孔に対し、該遊技盤の前面側から少なくともその一部を挿入して取り付けられる盤面部品から延びるハーネスをガイドする遊技機用ハーネスガイドであって、上記盤面部品に繋がる基部と、該基部から延びる支持アームと、該支持アームの先端に設けられてハーネスを係止する係止部とを備えており、上記盤面部品を上記遊技盤の上記部品取付孔に取り付けた状態で、該支持アームの中間部が上記部品取付孔の内部に配置され、さらに、該支持アームを所定長さとすることにより、上記盤面部品を上記遊技盤の上記部品取付孔に取り付けた状態で、上記部品取付孔の内部で上記遊技盤の後面側となる開口の直近位置又は上記遊技盤の後面側で上記部品取付孔の外部に該係止部が配置されていることを要旨とする。
上記構成によれば、遊技機用ハーネスガイドは、その基部を介して盤面部品に繋がっている。また盤面部品から延びるハーネスは、遊技機用ハーネスガイドの支持アームによって支持されつつ、遊技機用ハーネスガイドの係止部に係止される。さらに、該支持アームは、その中間部が部品取付孔の内部に配置されるようになっている。このため、盤面部品の取付時には、盤面部品に繋がる遊技機用ハーネスガイドにハーネスを係止させておくだけで、部品取付孔へのハーネスの挿通と盤面部品の挿入とを一作業で行うことができ、ハーネスを予め部品取付孔に挿通させる作業を省略することができる。加えて、該支持アームを所定長さとすることにより、盤面部品を部品取付孔に取り付けた状態で、該係止部は、部品取付孔の内部で遊技盤の裏面側となる開口の直近位置又は遊技盤の裏面側で部品取付孔の外部に配置されているため、盤面部品の取付後にハーネスを部品取付孔から引き出す作業も省略することができる。従って、部品取付孔に挿入して取り付ける盤面部品において、その取付作業を簡易化することができる。
【０００６】
請求項２に記載の発明は、請求項１に記載の遊技機用ハーネスガイドの発明において、上記係止部は、Ｃリング状に形成されていることを要旨とする。
上記構成によれば、係止部をＣリング状とすることにより、該係止部に対するハーネスの係止、あるいは該係止部からのハーネスの取り外しを簡易に行うことができる。
請求項３に記載の発明は、請求項１又は請求項２に記載の遊技機用ハーネスガイドの発明において、上記基部は、ネジ止めによって上記盤面部品に繋がることを要旨とする。
上記構成によれば、盤面部品に対して遊技機用ハーネスガイドを着脱可能とすることができる。
【発明の効果】
【０００７】
本発明によれば、部品取付孔に挿入して取り付ける盤面部品において、その取付作業を簡易化することができる遊技機用ハーネスガイドを提供することができる。
【発明を実施するための最良の形態】
【０００８】
以下、本発明を具体化した一実施形態について説明する。
まず、遊技機の概略構成を説明する。なお、遊技機とは、パチンコ機、パチスロ機、スロット機等であり、遊技場において島設備と総称される玉供給装置、コイン供給装置等に組み込まれて設置されたものである。また、これ以降は、遊技機において遊技者と向かい合う面を該遊技機の前面とし、遊技機において該前面と対向する面を該遊技機の後面とする。
図１は、遊技機の概略構成を示す正面図である。遊技機１０は、外枠１１と、該外枠１１の内側に組み付けられた中枠１２とを備えている。外枠１１は、前記島設備（図示略）に固定されている。中枠１２は、該外枠１１に対し、着脱可能かつ開閉可能に組み付けられている。
上記中枠１２の内側には、遊技盤１３が組み付けられている。また中枠１２には、遊技機の操作等に係る球皿１４、ハンドル１５が組み付けられている。該中枠１２は、第三者によって不用意に開閉されることがないようにするため、施錠装置１６によって外枠１１に対して施錠固定されている。
【０００９】
上記遊技盤１３は、遊技を行うための主要な部品である。また、流行に合わせる、新機種の導入を容易にする、遊技場内における機種移動を簡易に行う等のために遊技盤１３のみを交換可能とするべく、該遊技盤１３は、中枠１２に対して着脱することができるように構成されている。該遊技盤１３の前面には、盤面部品として、遊技状態を知らしめる、あるいは遊技を興味深いものにするための液晶パネル１７、チューリップ１８などが取り付けられている。該遊技盤１３の後面には、遊技状態を制御する基板ユニット等の制御ユニット（図示略）が取り付けられている他、同制御ユニット、盤面部品などを遊技盤１３に固定するためのサブフレーム１９が取り付けられている。そして、盤面部品であるチューリップ１８は、遊技盤１３の下部に設けられた部品取付孔２０に対し、その一部を挿入して取り付けられている。
【００１０】
図２は、盤面部品であるチューリップ１８を示す斜視図である。なお、同図中における上方向は遊技機の後面側となる方向であり、下方向は遊技機の前面側となる方向であり、同図中においては上方向を後面側、下方向を前面側とする。
チューリップ１８は、板状をなすベース２１と、該ベース２１の後面に突設された四角筒状をなす球移動部２２と、該球移動部２２の後端に取り付けられたアクチュエータ２３とを備えている。また該ベース２１の前面には、受球部（図示略）が取り付けられている。該受球部は、アクチュエータ２３によってその開閉動作を制御される一対のフラップ（図示略）を有している。そして、遊技機１０において、該チューリップ１８に達した遊技球は、フラップの開閉動作によって跳ね返されなかったものに限り、受球部で受けられ、球移動部２２の内側を通過する。
上記チューリップ１８において、アクチュエータ２３は、その両側面にそれぞれ突設された取付板２４を介して、球移動部２２に対し、ネジ２５を用いてネジ止めされている。また該アクチュエータ２３の前面からは、該アクチュエータ２３を制御ユニットに対して電気的に接続するためのハーネス２６が延びている。そして、該アクチュエータ２３の一側方には、該ハーネス２６をガイドするための遊技機用ハーネスガイド２７（以下、省略して「ハーネスガイド２７」と記載する）が、一方の取付板２４とともに球移動部２２に対してネジ２５を用いてネジ止めされている。
【００１１】
図３（ａ）〜（ｅ）は順番に、ハーネスガイド２７を示す前面図、後面図、後面側から向かって左側面となる内側面図、後面側から向かって右側面となる外側面図、上面図である。
上記ハーネスガイド２７は、上記チューリップ１８の球移動部２２に繋がる基部３１と、該基部３１から延びる支持アーム３２と、該支持アーム３２の先端部に設けられてハーネス２６を係止する係止部３３とを備えている。該基部３１の中央部には、ハーネスガイド２７をネジ止めによって球移動部２２に繋ぐべく、上記ネジ２５が挿通されるネジ挿通孔３１Ａが形成されている。該支持アーム３２は、該基部３１の後面下端から延設され、その先端部の外側面が弧面状に形成されることにより、ガイド面３２Ａを有している。該係止部３３は、Ｃリング状に形成されており、その上部には、周壁を一旦途切れさせることによって設けられたハーネス挿入部３３Ａを有している。上記ハーネス２６は、該ハーネス挿入部３３Ａから該係止部３３の内側へ挿入されることにより、該係止部３３に係止保持されるようになっている。
なお、上記ハーネスガイド２７において、基部３１、支持アーム３２及び係止部３３は、合成樹脂を材料として一体に射出成形されている。これは、基部３１、支持アーム３２及び係止部３３をそれぞれ別体として接合する場合に比べ、強度、剛性に優れるとともに、大量生産しやすいためである。
【００１２】
図４は、上記チューリップ１８を部品取付孔２０に取り付ける状態を示す平断面図である。なお、図４では、図中で上方向が前面側となり、下方向が後面側となる。
ここで、部品取付孔２０は、遊技盤１３に設けられた前面孔２０Ａと、サブフレーム１９に設けられた後面孔２０Ｂとから構成されている。このように部品取付孔２０は、前面孔２０Ａ及び後面孔２０Ｂによって構成されることにより、奥行の深いものとなっている。そして、部品取付孔２０にハーネス等を挿通させようとする場合、孔の奥が見づらく、該ハーネス等がサブフレーム１９に引っ掛かったり等してしまうため、部品取付孔２０はハーネス等を挿通させにくい構成となっている。
上記チューリップ１８は、組み立てられた状態、すなわちベース２１の球移動部２２にアクチュエータ２３とハーネスガイド２７をネジ止めした状態とし、さらにハーネスガイド２７の係止部３３にハーネス２６を係止したうえで、遊技盤１３に取り付けられる。遊技盤１３への取り付け時において、該チューリップ１８は、遊技盤１３の前面側から部品取付孔２０の内部に挿入される。またハーネス２６の部品取付孔２０への挿通は、該ハーネス２６をハーネスガイド２７に係止支持された状態のままとしておくことにより、部品取付孔２０へのチューリップ１８の挿入とともに一作業で行われる。
上記部品取付孔２０への挿入時において、ハーネスガイド２７は、該チューリップ１８の挿入を案内するガイドとしての機能を発揮する。すなわち、ハーネスガイド２７において、支持アーム３２の先端部の外側面は、弧面状をなすガイド面３２Ａとされている。このため、該ガイド面３２Ａを部品取付孔２０の周縁に接触させた状態とし、このままの状態でチューリップ１８を部品取付孔２０の内奥へ押し込むと、チューリップ１８は、ガイド面３２Ａを摺接させながら部品取付孔２０に対して挿入のための正しい位置へと案内される。
【００１３】
図５は、上記チューリップ１８を部品取付孔２０に取り付けた状態を示す平断面図である。なお、図５では、図中で上方向が前面側となり、下方向が後面側となる。
該チューリップ１８を遊技盤１３の部品取付孔２０に取り付けた状態において、ベース２１の球移動部２２は、部品取付孔２０の内部に挿入されており、アクチュエータ２３は、先端のみが遊技盤１３の後面側で部品取付孔２０の外部に露出され、その大半は部品取付孔２０の内部に挿入されている。ハーネスガイド２７の支持アーム３２は、その中間部が該部品取付孔２０の内部に配置されている。さらに支持アーム３２は、部品取付孔２０の奥行深さとチューリップ１８への取付位置を考慮した所定長さとされている。すなわち、支持アーム３２は、その長さをＬとし、部品取付孔２０の奥行深さをＤとし、部品取付孔２０の奥行長さをＨとした場合、Ｌ≧Ｄ−Ｈとなるように設定されている。このため、チューリップ１８を遊技盤１３の部品取付孔２０に取り付けた状態で、ハーネスガイド２７の係止部３３は、遊技盤１３の後面側で部品取付孔２０の外部に配置されている。そして、ハーネス２６は、その先端のコネクタが係止部３３とともに遊技盤１３の後面側で部品取付孔２０の外部に配置されている。このため、部品取付孔２０の内部からハーネス２６を引き出す等の煩雑な作業を必要とすることなく、該ハーネス２６は、制御ユニットへ容易に接続される。
【００１４】
本発明は、上記実施形態の構成に限定されるものではなく、以下に示すように変更してもよい。
ハーネスガイド２７の支持アーム３２において、ガイド面３２Ａを省略してもよい。
ハーネスガイド２７は、合成樹脂によって一体成形することに限らず、基部３１、支持アーム３２及び係止部３３の各部をそれぞれ個別に形成し、接着、融着等の方法で接合してもよい。
ハーネスガイド２７は、その基部３１がネジ止めによって盤面部品であるチューリップ１８に繋がることに限らず、接着、融着等の方法で繋げてもよい。あるいは、基部３１を含むハーネスガイド２７をチューリップ１８のベース２１及び球移動部２２と一体成形してもよい。
係止部３３は、ハーネス２６を係止することが可能であれば、Ｃリング状に形成されることに限らず、例えばＤリング状、円環状、クリップ状等の何れの形状としてもよい。
盤面部品であるチューリップ１８を部品取付孔２０に取り付けた状態で、係止部３３は、部品取付孔２０の内部で遊技盤１３の後面側となる開口の直近位置に配置してもよい。このような構成とした場合であっても、係止部３３に係止支持されたハーネス２６は、その端部が部品取付孔２０の開口の直近位置にあるめ、部品取付孔２０の内部から引き出しやすくなっている。
盤面部品は、遊技盤１３の前面側から少なくともその一部を挿入して取り付けられ、かつハーネスを有するものであれば、上記チューリップ１８に限らず、ハンドル１５、液晶パネル１７等であってもよい。
【図面の簡単な説明】
【００１５】
【図１】遊技盤を示す正面図。
【図２】盤面部品であるチューリップを示す斜視図。
【図３】（ａ）はハーネスガイドを示す正面図、（ｂ）はハーネスガイドを示す背面図、（ｃ）はハーネスガイドを示す側面図、（ｄ）はハーネスガイドを示す側面図、（ｅ）はハーネスガイドを示す平面図。
【図４】盤面部品であるチューリップを部品取付孔に取り付ける状態を示す平断面図。
【図５】盤面部品であるチューリップを部品取付孔に取り付けた状態を示す平断面図。
【符号の説明】
【００１６】
１０      遊技機
１３      遊技盤
１８      盤面部品であるチューリップ
２０      部品取付孔
２６      ハーネス
２７      遊技機用ハーネスガイド
３１      基部
３２      支持アーム
３３      係止部
【図１】
2009189585.tif 000003
【図２】
2009189585.tif 000004
【図３】
2009189585.tif 000005
【図４】
2009189585.tif 000006
【図５】
2009189585.tif 000007